(57)【特許請求の範囲】
【請求項１】
少なくとも一部にガラスパネルを備えたガラス間仕切り装置のガラスパネルの取付け構造において、ガラスパネルのガラス枠は両縦枠と上枠及び下枠をＬ形金具を用いてネジ止めして構成すると共に、ガラス枠の両面側内周にはガラス溝を設け、そして縦枠は第１縦材の両面側に第２縦材を取付けた３ピース構造とし、上記ガラス溝は概略コ形断面をした第１縦材の横片と概略Ｌ形断面をした第２縦材の横片とで形成し、このガラス溝にガラスビードを介してガラスを嵌めてガラスパネルを構成し、上記縦枠の外側には凹部を設け、この凹部には垂直に起立したスタッドが隙間なく嵌ると共に該スタッドと縦枠との間にはマグネットを介在すると共にスタッドにネジ止めしたことを特徴とするガラスパネルの取付け構造。
【請求項２】
上記第１縦材の横片には２本のアームを外方向へ延ばして間には挿入溝を形成し、この挿入溝に第２縦材の挿入片を嵌めると共に突部をアーム先端の掛止部に係止した請求項１記載のガラスパネルの取付け構造。
【発明の詳細な説明】
【技術分野】
【０００１】
本発明はガラスパネルの取付け構造に関するものである。
【背景技術】
【０００２】
間仕切りパネル装置にも色々な形態があり、金属製パネルを用いた構造に限ることなく、ガラスパネルを使用して構成した間仕切りパネル構造も色々知られている。図７、図８は従来のガラス間仕切りパネル装置を示す具体例であり、縦断面と横断面を表している。同図に示すように、ガラス（イ）、（イ）が両面側に嵌っていて、ガラス枠体との間に大きな段差を与えることなくほぼ面一な面を構成している。垂直に起立したスタッド（ロ）、（ロ）間にはガラス枠体が取付けられ、このガラス枠体の両面側に設けているガラス溝（ハ）、（ハ）にガラス（イ）が嵌っている。
【０００３】
ガラス枠体は上桟（ニ）、下桟（ホ）、及び両縦桟（ヘ）、（ヘ）にて枠組され、そして上桟（ニ）と下桟（ホ）の間に２本の中桟（ト）、（ト）を取付けている。中桟（ト）は縦桟側からネジ止めされているが、このように枠組されたガラス枠体はガラス（イ）を嵌めることなく据付られ、該ガラス枠体が取付けられた状態で、最後にガラス（イ）をガラス溝（ハ）に嵌めることが出来る。ここで、枠組されたガラス枠体のガラス溝（ハ）にガラス（イ）を嵌める為に、縦桟（ヘ）、（ヘ）は補助部材（チ）を設けていて、これを取外すことで表面側を開口することが出来る構造としている。
【０００４】
そしてガラス枠体はガラス溝（ハ）にゴム等の弾性体（リ）とガスケット（ヌ）を介してガラス（イ）を取付ける構造と成っている為に、ガラス枠体を枠組みし、これを据付した後で該ガラス（イ）をガラス溝（ハ）に嵌めることが出来る。すなわち、ガラス溝（ハ）の内側に弾性体（リ）を設けてガラス（イ）を嵌め、該ガラス（イ）が外れないようにガスケット（ヌ）を取付けている。又、下桟（ホ）のガラス溝（ハ）及び中桟（ト）のガラス溝（ハ）にはガラス（イ）が載る弾性体（リ）を設けている。
【０００５】
ところで、床面には床レール（ル）が敷設・固定され、この床レール（ル）に配置されているアジャスター装置（オ）に載って巾木（ワ）が所定の高さに支えられている。巾木（ワ）は門形断面をした長尺材であって、床レール（ル）及びアジャスター装置（オ）を被覆している。そして、該巾木（ワ）の上に前記ガラス枠体が載置され、ガラス枠体の上端は天井レール（カ）と連結している。天井レール（カ）は天井に取着された門形断面の長尺材であり、この天井レール（カ）はガラス枠体の上桟（ニ）の開口に嵌って連結している。
【０００６】
このように、ガラス（イ）、（イ）・・をガラス枠体の両側に取付けることでほぼ面一になるが、大きな地震が発生した際にガラス枠体が変形し、ガラス（イ）、（イ）・・が破損しないようにガラス溝（ハ）、（ハ）・・には適度なクリアランス（ヨ）、（ヨ）・・を設けている。そのことも一因して、従来のガラス枠体では見付け寸法Ａが大きくなり、ガラスパネルの外観が損なわれる。又、ガラス枠体をスタッド（ロ）に固定する為にビス（タ）、（タ）・・を使用している為に、このビス頭が露出しないように目地材（レ）、（レ）・・を嵌めている。従って、目地幅はある程度の寸法が必要であり、従来では５ｍｍ〜１２ｍｍの幅寸法と成っている。
【０００７】
特開２００４−２３２３１１号に係る「二重ガラス間仕切り装置」は、前記図
図７、図８に示すものであり、ガラス枠体の両面側にガラスを嵌めた二重ガラス間仕切りである。しかし、上記のごとき問題も残されている。
【０００８】
実開平５−７３１１８号に係る「ガラス間仕切り構造」は、枠体にガラスを嵌込んだガラスパネルであって、一般パネルとの取替え自在で、該パネル面とガラス面との間に大きな段差を生じることのない２重ガラス間仕切り構造である。
すなわち、 両縦桟、上・下桟、必要に応じて中桟を用いて構成した枠体にガラスを嵌込んでガラスパネルとし、下桟にはパネル受けにより支持される支持片を有し、縦桟には目地材と係合してスタッドに固定するための係止片を持ち、該ガラスパネルを、スタッドを間にしてその両側に取着して構成している。
【０００９】
このガラス間仕切り構造の場合も、枠体では見付け寸法が大きくなり、ガラスパネルの外観が損なわれる。又、枠体をスタッドに固定する為にビスを使用している為に、このビス頭が露出しないように目地材が用いられ、この点もガラスパネルの外観上好ましくない。
【特許文献１】特開２００４−２３２３１１号に係る「二重ガラス間仕切り装置」
【特許文献２】実開平５−７３１１８号に係る「ガラス間仕切り構造」
【発明の開示】
【発明が解決しようとする課題】
【００１０】
このように、従来のガラス間仕切り装置には上記のごとき問題がある。本発明が解決しようとする課題はこれら問題点であり、ガラス間仕切り装置の外観を向上し、スタッドにネジ止めすることなく連結されるガラス間仕切り装置を構成するガラスパネルの取付け構造を提供する。
【課題を解決するための手段】
【００１１】
本発明に係るガラスパネルはガラス枠にガラスを嵌めたものであり、ここでガラス枠は両縦枠と上枠及び下枠をＬ形金具を介してネジ止めにより枠組みした構造としている。縦枠は１本の第１枠材と２本の第２枠材とで構成され、第２枠材は第１枠材の両面側に取付けられ、しかも着脱可能な取付け構造としている。そして、この縦枠は外側にスタッドが嵌合する凹部を有し、この凹部を挟んだ両面側にガラス溝を設けている。
【００１２】
ガラス溝は第２枠材を取外すことで開口出来るように成っていて、ガラスは該第２枠材を取外してガラス溝を開口した状態で嵌められる。ガラス枠の下ガラス溝にはガラスを支える為の弾性材を配置し、又左右両側のガラス溝及び上下側のガラス溝には嵌ったガラスがガタ付かないようにガラスビードを取付けている。
【００１３】
一方、上枠の上側及び下枠の下側にも凹部が設けられ、最下端のガラスパネルの下枠の凹部には門形ガイドが下枠に沿って取付けられ、床レールが外側に嵌っている。そしてスタッドはアジャスターにて適度な高さに支持され、該スタッドにガラスパネルの縦枠がネジ止めされる。同じく、最上端のガラスパネルの上枠の凹部には門形ガイドが上枠に沿って取付けられ、天井レールは門形ガイドの外側に嵌っている。ところで、上記第２枠材は概略Ｌ形断面の長尺材であって、概略コ形断面の第１枠材の両端横片には外方向へ延びる２本のアームを有し、この２本のアーム間に形成している空間(挿入溝)に第２枠材の挿入片が挿入されると共に係止して取付けられる。
【００１４】
ところで、ガラス溝は第２枠材の横片とスタッドの表面に沿って延びる第１枠材の横片との間に形成され、このガラス溝にガラスビードを介してガラスの側端部が嵌入する。そして、ガラス側端と上記アームとの間に適度なクリアランスを残してガラスはガラス溝に嵌っている。スタッドは縦枠の凹部に嵌合してネジ止めにて連結しているが、同時にスタッドと縦枠との間にはマグネットが介在して両者は互いに隙間なく連結している。
【発明の効果】
【００１５】
本発明のガラスパネルはガラス枠の内周に形成したガラス溝にガラスが嵌って構成しているが、ガラス溝底との間には適度なクリアランスを確保しながら見付け寸法は小さくしている。従って、ガラスの透明感や解放感を損なうことなく、該ガラスパネルを取付けて構成されるガラス間仕切り装置の外観意匠は向上する。ガラス枠を構成する縦枠は第１縦材と第２縦材の組合せた構造とし、上記ガラス溝はスタッドを抱え込む第１枠材の横片と第２枠材の横片間に形成され、このガラス溝にガラス側端が嵌ることが出来る為に、上記見付け寸法は小さくなる。
【００１６】
この第２縦材はその挿入片が第１縦材に形成した挿入溝に嵌って係止されるが、ガラス溝に嵌っている外側ガラスビードを外さない限り第２縦材が外れることはなく、ガラスがガラス溝から外れて落下することはない。そして、縦枠に設けた凹部にスタッドが嵌って該スタッドを抱き込むようにネジ止めにて連結し、しかも、スタッドとマグネットを介して連結される為に隙間の発生はない。従って、従来のようなパネル間に目地空間を形成してスタッドにネジ止めする構造ではない為に、ネジ頭を被覆する為の目地材を目地空間に嵌める必要はなく、その為に目地の幅寸法は小さくなり、ガラス間仕切り装置の外観は向上する。
【実施例】
【００１７】
図１はガラス間仕切り装置の正面図であり、４枚のガラスパネル１ａ，１ｂ，１ｃ，１ｄを段積みした構造とし、各ガラスパネル１ａ，１ｂ・・は横長を成して床面２から天井３まで延びている。そして、段積みされたガラスパネル１ａ，１ｂ・・の両側にはスタッド４，４が起立し、該スタッド４，４を介して隣にも同じく段積みしてガラスパネル１ａ，１ｂ・・が据付けられる。
【００１８】
図２は図１における２段目のガラスパネル１を構成するガラス枠５を示している実施例であり、該ガラス枠５は両縦枠６，６、上枠７、及び下枠８がＬ形金具９，９・・にて枠組みして構成している。このガラス枠５には２枚のガラスが表側と裏側に嵌められてガラスパネル１となるが、段積みして取付けられたガラス枠５にガラスを嵌めることが出来るように縦枠６，６は１本の第１縦材と２本の第２縦材の３ピース構造と成っている。そして、該第２縦材は取外してガラスを嵌め、嵌めたガラスが外れないように第２縦材を第１縦材に取付けている。
【００１９】
図３はガラスパネル１ａ，１ｂ・・を４段積み構造とした縦断面図を示している。同図に示しているように、ガラス枠５にはその両面にガラス１０，１０が嵌められ、その為に、該ガラス枠５の両面側にはガラス溝１１，１１・・を形成している。そして、下枠８に設けているガラス溝１１，１１の底には弾性材１２，１２を取付け、この弾性材１２，１２にガラス１０，１０が載っている。
【００２０】
ところで、最下端に位置するガラスパネル１ａの下側凹部には下枠８ａに沿って門形ガイド１３が取付けられ、床に敷設されている床レール１５の内側に嵌ってガイドし、該床レール１５と下枠８ａとの隙間を防止している。そして、ガラスパネル１ａは垂直に起立するスタッド４にネジ止めされて取着される。ここで、該スタッド４はアジャスター１４にて適度な高さに支持されている。スタッド４への取付けは、ガラスパネル１ａのガラス枠５をＬ形金具９にて枠組みする為のネジが兼用される。勿論、独立して枠組みしたガラスパネル１ａをスタッド４に固定することも可能である。そして、ガラスパネル１ａの上にはガラスパネル１ｂが載り、その上にはガラスパネル１ｃが積み上げられ、さらにその上にはガラスパネル１ｄが載っている。
【００２１】
これら各ガラスパネル１ｂ，１ｃ，１ｄも、その縦枠６がスタッド４にネジ止めして取着されている。ガラスパネル１ｄの上枠７ｄには凹部が形成され、該凹部には門形ガイドが上枠７ｄに沿って取着され、そして天井に敷設した天井レール１６が嵌合して位置決めされている。この門形ガイドは天井レールが内側へ撓み変形した際の上枠７ｄとの隙間を防止することが出来る。このように、下段のガラスパネル１ａと上段のガラスパネル１ｄでは、その下枠８ａと上枠７ｄは他のガラスパネル１ｂ，１ｃの上・下枠とは断面形状が違っている。
【００２２】
図４は４段積み構造としたガラス間仕切り装置の縦断面図であり、下段と上段にガラスパネル１ａ，１ｄを取付けている。その他にはボードに表面材１９を貼着したパネル１７ｂ，１７ｃが配置されている。ガラスパネル１ａの上には中間目地材１８が取着され、この中間目地材１８にパネル１７ｂの表面材１９の先端を係止して連結している。同じく、パネル１７ｂの上には中間目地材１８を介してパネル１７ｃが積み上げられ、さらにパネル１７ｃの上にはガラスパネル１ｄが載置されている。
【００２３】
図５は２枚のガラスパネル１ａ，１ｂを段積みしたガラス間仕切り装置の縦断面を表している。この間仕切り装置の下段のガラスパネル１ａの高さは大きく、上段のガラスパネル１ｂの高さは低く成っている。前記図３、図４に示したガラス間仕切り装置の縦断面の場合と同じように、下段のガラスパネル１ａの下枠８ａに形成した凹部には該下枠８ａに沿って門形ガイド１３が取付けられ、床面に敷設した床レール１５が該門形ガイド１３の外側に嵌っている。
【００２４】
そして、上段のガラスパネル１ｂの上枠７ｂの凹部にも門形ガイドが取付けられ、該門形ガイドの外側には天井レール１６が嵌っている。一方、図３、図５に示すガラス間仕切り装置は複数枚のガラスパネル１ａ，１ｂ・・を段積みして構成した場合であるが、複数のガラスパネル１ａ，１ｂ・・を段積みすることなく、ガラスパネル１の高さを天井レール１６まで届く大きさとし、中間に中桟を縦枠に取付けた構造とすることも可能である。この場合には、中桟の上側と下側にガラス溝を設ける。
【００２５】
図６はガラスパネル１のスタッドとの連結構造を示す横断面の一部で、ガラス１０が嵌るガラス溝を表している。同図の４はスタッドを表し、縦枠６の外側には凹部２０が設けられ（図２参照）、この凹部２０にスタッド４が嵌合する。すなわち、縦枠６はスタッド４を抱くように配置されると共にネジ止めされ、そしてマグネット２１を介して連結されている。
【００２６】
ところで、縦枠６は１本の第１縦材２２と２本の第２縦材２３、２３の組合せ構造とし、第２縦材２３，２３は第１縦材２２の両面側に着脱可能に取付けられている。第１縦材２２は概略コ形断面の長尺材で、スタッド４の表面に沿って延びる横片２４を有し、該横片２４には２本のアーム２５，２６を外方向へ延ばしている。第２縦材２３は概略Ｌ形断面の長尺材で、横片２７と挿入片２８を有し、挿入片２８は両アーム２５、２６の間に形成される挿入溝２９に嵌っている。
【００２７】
挿入片２８は突部３０を有し、この突部３０はアーム２６の先端に形成している掛止部３１に係止し、その結果、第２縦材２３は外れないようになる。すなわち、ガラス溝１１に嵌ったガラス１０は内側ガラスビード３２と外側ガラスビード３３とで挟まれて、第２縦材２３の横片２７の先端を外方向へ押出す力が作用し、その為に、突部３０は掛止部３１から離脱することはない。
【００２８】
ところで、ガラス１０をガラス溝１１に嵌める場合には、第２縦材２３を取外してガラス溝１１を開口した状態で嵌めることが出来る。この場合、ガラス溝１１の内側には内側ガラスビード３２が取付けられており、ガラス１０を嵌めて第２縦材２３を取付けた後で外側ガラスビード３３をガラス１０と横片２７との間に嵌め込む。従って、第２縦材２３の横片２７の先端は外側ガラスビード３３が取付けられることで、外方向へ押圧させる力が作用し、その結果、挿入片２８の先端はアーム２５を押圧し、突部３０は掛止部３１に係止する。
【００２９】
ここで、ガラス溝１１に嵌ったガラス１０の側端はアーム２５との間に適度な大きさのクリアランス３４を残している。同じく、下枠８のガラス溝１１の底に配置した弾性材１２に載ったガラス１０はその上端は上枠７のガラス溝１１に嵌っているが、このガラス溝底との間には十分なクリアランスを有している。
【００３０】
従って、大きな地震が発生してガラス枠５が変形しても、ガラス溝１１に残されているクリアランス３４，３４・・によってガラス１０が割れることはない。一方、スタンド４を間にして連結している縦枠６，６間の目地空間は非常に小さくなり、約２ｍｍ程度としている。本発明ではガラス枠５を正面側にてスタッド４にネジ止めする連結構造でない為に、すなわちネジ止めするに必要な目地空間を必要としない為に、十分に小さくすることが出来る。
【００３１】
ガラス溝１１は縦枠６だけでなく上枠７及び下枠８にも形成され、ガラス上端部及びガラス下端部は上枠７及び下枠８のガラス溝１１，１１に嵌っている。ただし、上枠７及び下枠８のガラス溝１１は縦枠のガラス溝１１のように開口することはないが、内側ガラスビード３２と外側ガラスビード３３に挟まれた状態で嵌合している。
【図面の簡単な説明】
【００３２】
【図１】ガラス間仕切り装置の外観図。
【図２】ガラスが嵌るガラス枠の具体例。
【図３】ガラス間仕切り装置の縦断面図。
【図４】ガラス間仕切り装置の縦断面図。
【図５】ガラス間仕切り装置の縦断面図。
【図６】ガラスの取付け構造。
【図７】従来のガラス間仕切り装置の縦断面図。
【図８】従来のガラス間仕切り装置の横断面図。
【符号の説明】
【００３３】
１  ガラスパネル
２  床面
３  天井
４  スタッド
５  ガラス枠
６  縦枠
７  上枠
８  下枠
９  Ｌ形金具
10  ガラス
11  ガラス溝
12  弾性材
13  門形ガイド
14  アジャスター
15  床レール
16  天井レール
17  パネル
18  中間目地材
19  表面材
20  凹部
21  マグネット
22  第１縦材
23  第２縦材
24  横片
25  アーム
26  アーム
27  横片
28  挿入片
29  挿入溝
30  突部
31  掛止部
32  内側ガラスビード
33  外側ガラスビード
34  クリアランス
【図１】
0005190643.tif 000002
【図２】
0005190643.tif 000003
【図３】
0005190643.tif 000004
【図４】
0005190643.tif 000005
【図５】
0005190643.tif 000006
【図６】
0005190643.tif 000007
【図７】
0005190643.tif 000008
【図８】
0005190643.tif 000009